(57)【要約】  １つまたは複数のネットワークノードとワイヤレスデバイスとの間の少なくとも２つのワイヤレスリンクを提供すること（６０５）を含む動的リンク選択のための方法。少なくとも２つのワイヤレスリンクは、少なくとも２つの異なる無線アクセス技術に関連付けられる。方法は、１つまたは複数のネットワークノードの第１のネットワークノードに送られる制御データを取得すること（６１０）をさらに含む。制御データは第１の無線アクセス技術に関連付けられる。方法は、少なくとも２つのワイヤレスリンクの中から１つまたは複数のワイヤレスリンクを選択すること（６２５）をさらに含む。１つまたは複数のリンクは、第１の選択パラメータに基づいて選択される。１つまたは複数の選択されたワイヤレスリンクは、第１のネットワークノードへの制御データの送信のために使用されるべきである。１つまたは複数の選択されたワイヤレスリンクは、第２の無線アクセス技術に関連付けられる少なくとも第１のワイヤレスリンクを含む。方法は、第２の無線アクセス技術に関連付けられる少なくとも第１のワイヤレスリンクを介して、第１の無線アクセス技術に関連付けられる制御データを第１のネットワークノードに送信すること（６４５）をさらに含む。方法はまた、第１のネットワークノードで制御データを取得すること（６５０）、および受信された制御データが重複した制御データであるかどうかを判定すること（６５５）をも含む。【選択図】図６
2019528021.tif 000002
【特許請求の範囲】
【請求項１】
動的リンク選択のための方法であって、
１つまたは複数のネットワークノードとワイヤレスデバイスとの間の少なくとも２つのワイヤレスリンクであって、少なくとも２つの異なる無線アクセス技術に関連付けられる少なくとも２つのワイヤレスリンクを提供すること（６０５）と、
前記１つまたは複数のネットワークノードの第１のネットワークノードに送られる制御データであって、第１の無線アクセス技術に関連付けられる制御データを取得すること（６１０）と、
第１の選択パラメータに基づいて、前記少なくとも２つのワイヤレスリンクの中から１つまたは複数のワイヤレスリンクを選択すること（６２５）であって、選択された１つまたは複数のワイヤレスリンクは、前記第１のネットワークノードへの前記制御データの送信のために使用され、前記選択された１つまたは複数のワイヤレスリンクが、第２の無線アクセス技術に関連付けられる少なくとも第１のワイヤレスリンクを含む、選択すること（６２５）と、
前記第２の無線アクセス技術に関連付けられる少なくとも第１のワイヤレスリンクを介して、前記第１の無線アクセス技術に関連付けられる前記制御データを前記第１のネットワークノードに送信すること（６４５）と、
前記第１のネットワークノードで前記制御データを取得すること（６５０）と、
受信された制御データが重複した制御データであるかどうかを判定すること（６５５）と
を含む方法。
【請求項２】
動的リンク選択のための方法であって、
ネットワークノードに送られるデータを取得すること（６１０）と、
前記ネットワークノードに送られる前記データの送信のために使用する１つまたは複数のワイヤレスリンクを選択すること（６２５）であって、前記１つまたは複数のワイヤレスリンクが少なくとも２つの利用可能なワイヤレスリンクのグループから選択され、前記少なくとも２つの利用可能なワイヤレスリンクが、少なくとも２つの異なる無線アクセス技術に関連付けられる、選択すること（６２５）と、
選択された１つまたは複数のワイヤレスリンクを介して前記ネットワークノードに前記データを送信すること（６４５）と
を含む方法。
【請求項３】
送られる前記データが、前記少なくとも２つの利用可能なワイヤレスリンクのうちの第１のワイヤレスリンクについての制御データを含み、前記第１のワイヤレスリンクが第１の無線アクセス技術に関連付けられ、
前記ネットワークノードに前記データを送信することが、前記少なくとも２つの利用可能なワイヤレスリンクのうちの少なくとも第２のワイヤレスリンクを介して前記制御データを送信すること（６４５）を含み、前記第２のワイヤレスリンクが、前記第１の無線アクセス技術とは異なる第２の無線アクセス技術に関連付けられる、請求項１に記載の方法。
【請求項４】
少なくとも２つの利用可能なワイヤレスリンクの前記グループから少なくとも２つのワイヤレスリンクを選択するとき、
送信されるデータを複製すること（６４０）と、
異なる無線アクセス技術を介して同一のデータを搬送する少なくとも２つの選択されたワイヤレスリンクを介して、複製されたデータを前記ネットワークノードに送信すること（６４５）と、をさらに含み、
選択されたワイヤレスリンクのうちの少なくとも１つの上で送信される前記データが、第２のネットワークノードを介して前記ネットワークノードに送信される請求項１に記載の方法。
【請求項５】
前記データの前記送信のために使用する１つまたは複数のワイヤレスリンクを選択することが、少なくとも２つの利用可能なワイヤレスリンクの前記グループの前記ワイヤレスリンクのそれぞれに関連付けられるリンク品質を評価すること（６１５）を含む請求項１に記載の方法。
【請求項６】
前記データの前記送信のために使用する１つまたは複数のワイヤレスリンクを選択することが、少なくとも２つの利用可能なワイヤレスリンクの前記グループの前記ワイヤレスリンクのそれぞれに関連付けられるバッファステータスを評価すること（６２０）を含む請求項１に記載の方法。
【請求項７】
前記送られるデータが制御プレーンデータであり、
前記データを送信することが、それぞれの選択されたワイヤレスリンクについて、それぞれの下位レイヤリンクにパケットデータ収束プロトコル（ＰＤＣＰ）プロトコルデータ単位（ＰＤＵ）を転送すること（６３５）を含む請求項１に記載の方法。
【請求項８】
前記１つまたは複数のワイヤレスリンクを選択すること（６２５）が、パケットデータ収束プロトコル（ＰＤＣＰ）プロトコルデータ単位（ＰＤＵ）ごとに行われる請求項１に記載の方法。
【請求項９】
前記１つまたは複数のワイヤレスリンクを選択すること（６２５）が、無線リンク制御（ＲＬＣ）プロトコルデータ単位（ＰＤＵ）ごとに行われる請求項１に記載の方法。
【請求項１０】
前記データが無線リソース制御（ＲＲＣ）メッセージを含む請求項１に記載の方法。
【請求項１１】
動的リンク選択のためのワイヤレスデバイス（１１０）であって、
ネットワークノードに送られるデータを取得すること、
前記ネットワークノードに送られる前記データの送信のために使用する１つまたは複数のワイヤレスリンクを選択することであって、前記１つまたは複数のワイヤレスリンクが、少なくとも２つの利用可能なワイヤレスリンクのグループから選択され、前記少なくとも２つの利用可能なワイヤレスリンクが、少なくとも２つの異なる無線アクセス技術に関連付けられること
を行うように設定された処理回路（１１２）と、
選択された１つまたは複数のワイヤレスリンクを介して前記ネットワークノードに前記データを送信するように設定されたワイヤレスインターフェース（１１１）と、
ユーザインターフェース（２２０および２２５）と、
前記ワイヤレスデバイスに電力を供給するように設定された電源（２３５）と
を備えるワイヤレスデバイス（１１０）。
【請求項１２】
送られる前記データが、前記少なくとも２つの利用可能なワイヤレスリンクのうちの第１のワイヤレスリンクについての制御データを含み、前記第１のワイヤレスリンクが第１の無線アクセス技術に関連付けられ、
前記ネットワークノードに前記データを送信するように設定された前記ワイヤレスインターフェース（１１１）が、前記少なくとも２つの利用可能なワイヤレスリンクのうちの少なくとも第２のワイヤレスリンクを介して前記制御データを送信するようにさらに設定され、前記第２のワイヤレスリンクが、前記第１の無線アクセス技術とは異なる第２の無線アクセス技術に関連付けられる請求項１１に記載のワイヤレスデバイス（１１０）。
【請求項１３】
前記処理回路（１１２）が、少なくとも２つの利用可能なワイヤレスリンクの前記グループから少なくとも２つのワイヤレスリンクを選択するとき、送信される前記データを複製するようにさらに設定され、
前記ワイヤレスインターフェース（１１１）が、少なくとも２つの選択されたワイヤレスリンクを介して、前記ネットワークノードに複製されたデータを送信するようにさらに設定され、前記少なくとも２つの選択されたワイヤレスリンクが同一のデータを搬送し、選択されたワイヤレスリンクのうちの少なくとも１つの上で送信される前記データが、第２のネットワークノードを介して前記ネットワークノードに送信される請求項１１に記載のワイヤレスデバイス（１１０）。
【請求項１４】
前記データの前記送信のために使用する１つまたは複数のワイヤレスリンクを選択するように設定された前記処理回路（１１２）が、前記少なくとも２つの利用可能なワイヤレスリンクのグループの前記ワイヤレスリンクのそれぞれに関連付けられるリンク品質を評価するようにさらに設定される請求項１１に記載のワイヤレスデバイス（１１０）。
【請求項１５】
前記データの前記送信のために使用する１つまたは複数のワイヤレスリンクを選択するように設定された前記処理回路（１１２）が、少なくとも２つの利用可能なワイヤレスリンクの前記グループの前記ワイヤレスリンクのそれぞれに関連付けられるバッファステータスを評価するようにさらに設定される請求項１１に記載のワイヤレスデバイス（１１０）。
【請求項１６】
送られる前記データが制御プレーンデータであり、
前記データを送信するように設定された前記ワイヤレスインターフェース（１１１）が、それぞれの選択されたワイヤレスリンクについて、それぞれの下位レイヤリンクにパケットデータ収束プロトコル（ＰＤＣＰ）プロトコルデータ単位（ＰＤＵ）を転送するようにさらに設定される請求項１１に記載のワイヤレスデバイス（１１０）。
【請求項１７】
前記１つまたは複数のワイヤレスリンクを選択するように設定された前記処理回路（１１２）が、パケットデータ収束プロトコル（ＰＤＣＰ）プロトコルデータ単位（ＰＤＵ）ごとに前記１つまたは複数のワイヤレスリンクを選択するようにさらに設定される請求項１１に記載のワイヤレスデバイス（１１０）。
【請求項１８】
前記１つまたは複数のワイヤレスリンクを選択するように設定された前記処理回路（１１２）が、無線リンク制御（ＲＬＣ）プロトコルデータ単位（ＰＤＵ）ごとに前記１つまたは複数のワイヤレスリンクを選択するようにさらに設定される請求項１１に記載のワイヤレスデバイス（１１０）。
【請求項１９】
前記データが無線リソース制御（ＲＲＣ）メッセージを含む請求項１１に記載のワイヤレスデバイス（１１０）。
【請求項２０】
動的リンク選択のためのネットワークノード（１２０）であって、
ワイヤレスデバイスとのワイヤレス通信のための少なくとも第１のワイヤレスリンクを提供するように設定されたワイヤレスインターフェース（１２１）であって、前記第１のワイヤレスリンクが第１の無線アクセス技術に関連付けられるワイヤレスインターフェース（１２１）と、
前記ワイヤレスデバイスから制御データを取得するように設定された第２のインターフェース（１２１）であって、前記制御データが、前記ワイヤレスデバイスによって第２のワイヤレスリンクを介して送信され、前記第２のワイヤレスリンクが、前記第１の無線アクセス技術とは異なる第２の無線アクセス技術に関連付けられる第２のインターフェース（１２１）と、
受信された制御データが重複した制御データであるかどうかを判定するように設定された処理回路（１２２）と
を備えるネットワークノード（１２０）。
【請求項２１】
プロセッサおよびコンピュータ可読記憶媒体を備える、動的リンク選択のためのワイヤレスデバイス（１１０）であって、前記記憶媒体（１１３）が、前記プロセッサ（１１２）によって実行可能な命令を含み、それによって、前記ワイヤレスデバイス（１１０）が、
ネットワークノードに送られるデータを取得すること、
前記ネットワークノードに送られる前記データの送信のために使用する１つまたは複数のワイヤレスリンクを選択することであって、前記１つまたは複数のワイヤレスリンクが、少なくとも２つの利用可能なワイヤレスリンクのグループから選択され、前記少なくとも２つの利用可能なワイヤレスリンクが、少なくとも２つの異なる無線アクセス技術に関連付けられること、および
選択された１つまたは複数のワイヤレスリンクを介して前記ネットワークノードに前記データを送信すること
を行うように動作可能であるワイヤレスデバイス（１１０）。
【請求項２２】
送られる前記データが、前記少なくとも２つの利用可能なワイヤレスリンクのうちの第１のワイヤレスリンクについての制御データを含み、前記第１のワイヤレスリンクが第１の無線アクセス技術に関連付けられ、
前記ネットワークノードに前記データを送信するように動作可能な前記ワイヤレスデバイスが、前記少なくとも２つの利用可能なワイヤレスリンクのうちの少なくとも第２のワイヤレスリンクを介して前記制御データを送信するようにさらに動作可能であり、前記第２のワイヤレスリンクが、前記第１の無線アクセス技術とは異なる第２の無線アクセス技術に関連付けられる請求項２１に記載のワイヤレスデバイス（１１０）。
【請求項２３】
前記ワイヤレスデバイス（１１０）が、少なくとも２つの利用可能なワイヤレスリンクの前記グループから少なくとも２つのワイヤレスリンクを選択するとき、
送信される前記データを複製すること、
少なくとも２つの選択されたワイヤレスリンクを介して、複製されたデータを前記ネットワークノードに送信することであって、前記少なくとも２つの選択されたワイヤレスリンクが、異なる無線アクセス技術を介して同一のデータを搬送すること
を行うようにさらに動作可能であり、
選択されたワイヤレスリンクのうちの少なくとも１つの上で送信される前記データが、第２のネットワークノードを介して前記ネットワークノードに送信される請求項２１に記載のワイヤレスデバイス（１１０）。
【請求項２４】
前記データの前記送信のために使用する１つまたは複数のワイヤレスリンクを選択するように動作可能である前記ワイヤレスデバイス（１１０）が、少なくとも２つの利用可能なワイヤレスリンクの前記グループの前記ワイヤレスリンクのそれぞれに関連付けられるリンク品質を評価するようにさらに動作可能である請求項２１に記載のワイヤレスデバイス（１１０）。
【請求項２５】
前記データの前記送信のために使用する１つまたは複数のワイヤレスリンクを選択するように動作可能な前記ワイヤレスデバイス（１１０）が、少なくとも２つの利用可能なワイヤレスリンクの前記グループの前記ワイヤレスリンクのそれぞれに関連付けられるバッファステータスを評価するようにさらに動作可能である請求項２１に記載のワイヤレスデバイス（１１０）。
【請求項２６】
送られる前記データが制御プレーンデータであり、
前記データを送信するように動作可能な前記ワイヤレスデバイス（１１０）が、それぞれの選択されたワイヤレスリンクについて、それぞれの下位レイヤリンクにパケットデータ収束プロトコル（ＰＤＣＰ）プロトコルデータ単位（ＰＤＵ）を転送するようにさらに動作可能である請求項２１に記載のワイヤレスデバイス（１１０）。
【請求項２７】
前記１つまたは複数のワイヤレスリンクが、パケットデータ収束プロトコル（ＰＤＣＰ）プロトコルデータ単位（ＰＤＵ）ごとに選択される請求項２１に記載のワイヤレスデバイス（１１０）。
【請求項２８】
前記１つまたは複数のワイヤレスリンクが、無線リンク制御（ＲＬＣ）プロトコルデータ単位（ＰＤＵ）ごとに選択される請求項２１に記載のワイヤレスデバイス（１１０）。
【請求項２９】
前記データが無線リソース制御（ＲＲＣ）メッセージを含む請求項２１に記載のワイヤレスデバイス（１１０）。
【請求項３０】
動的リンク選択のためのワイヤレスデバイス（７００）であって、
ネットワークノードに送られるデータを取得するように設定された取得ユニット（７１０）と、
前記ネットワークノードに送られる前記データの送信のために使用する１つまたは複数のワイヤレスリンクを選択するように設定された選択ユニット（７２０）であって、１つまたは複数のワイヤレスリンクが、少なくとも２つの利用可能なワイヤレスリンクのグループから選択され、前記少なくとも２つの利用可能なワイヤレスリンクが、少なくとも２つの異なる無線アクセス技術に関連付けられる選択ユニット（７２０）と、
選択された１つまたは複数のワイヤレスリンクを介して、前記ネットワークノードに前記データを送信するように設定された送信ユニット（７３０）と
を備えるワイヤレスデバイス（７００）。
【請求項３１】
送られる前記データが、前記少なくとも２つの利用可能なワイヤレスリンクのうちの第１のワイヤレスリンクについての制御データを含み、前記第１のワイヤレスリンクが第１の無線アクセス技術に関連付けられ、
前記ネットワークノードに前記データを送信するように設定された前記送信ユニット（７３０）が、前記少なくとも２つの利用可能なワイヤレスリンクのうちの少なくとも第２のワイヤレスリンクを介して前記制御データを送信するようにさらに設定され、前記第２のワイヤレスリンクが、前記第１の無線アクセス技術とは異なる第２の無線アクセス技術に関連付けられる請求項３０に記載のワイヤレスデバイス（７００）。
【請求項３２】
少なくとも２つのワイヤレスリンクが少なくとも２つの利用可能なワイヤレスリンクの前記グループから選択されるとき、送信される前記データを複製するように設定されたレプリケータユニット（７４０）をさらに備え、
前記送信ユニット（７３０）が、少なくとも２つの選択されたワイヤレスリンクを介して、前記ネットワークノードに複製されたデータを送信するようにさらに設定され、前記少なくとも２つの選択されたワイヤレスリンクが、異なる無線アクセス技術を介して同一のデータを搬送し、
選択されたワイヤレスリンクのうちの少なくとも１つの上で送信される前記データが、第２のネットワークノードを介して前記ネットワークノードに送信される請求項３０に記載のワイヤレスデバイス（７００）。
【請求項３３】
前記データの前記送信のために使用する１つまたは複数のワイヤレスリンクを選択するように設定された前記選択ユニット（７２０）が、少なくとも２つの利用可能なワイヤレスリンクの前記グループの前記ワイヤレスリンクのそれぞれに関連付けられるリンク品質を評価するようにさらに設定される請求項３０に記載のワイヤレスデバイス（７００）。
【請求項３４】
前記データの前記送信のために使用する１つまたは複数のワイヤレスリンクを選択するように設定された前記選択ユニット（７２０）が、少なくとも２つの利用可能なワイヤレスリンクの前記グループの前記ワイヤレスリンクのそれぞれに関連付けられるバッファステータスを評価するようにさらに設定される請求項３０に記載のワイヤレスデバイス（７００）。
【請求項３５】
送られる前記データが制御プレーンデータであり、
前記データを送信するように設定された前記送信ユニット（７３０）が、それぞれの選択されたワイヤレスリンクについて、それぞれの下位レイヤリンクにパケットデータ収束プロトコル（ＰＤＣＰ）プロトコルデータ単位（ＰＤＵ）を転送するようにさらに設定される請求項３０に記載のワイヤレスデバイス（７００）。
【請求項３６】
前記選択ユニット（７２０）が、パケットデータ収束プロトコル（ＰＤＣＰ）プロトコルデータ単位（ＰＤＵ）ごとに前記１つまたは複数のワイヤレスリンクを選択するようにさらに設定される請求項３０に記載のワイヤレスデバイス（７００）。
【請求項３７】
前記選択ユニット（７２０）が、無線リンク制御（ＲＬＣ）プロトコルデータ単位（ＰＤＵ）ごとに１つまたは複数のワイヤレスリンクを選択するようにさらに設定される請求項３０に記載のワイヤレスデバイス（７００）。
【請求項３８】
前記データが無線リソース制御（ＲＲＣ）メッセージを含む請求項３０に記載のワイヤレスデバイス。
【発明の詳細な説明】
【技術分野】
【０００１】
本明細書で提示される実施形態は動的リンク選択に関し、詳細には、データを送信するのに使用するために１つまたは複数のワイヤレスリンクを選択するための方法、ネットワークノード、ワイヤレスデバイス、コンピュータプログラム、またはコンピュータプログラム製品に関する。
【背景技術】
【０００２】
ワイヤレスネットワークについての次世代（ＮＧ）アーキテクチャに対する全要件（ＴＲ  ２３．７９９、Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎを参照）、より具体的にはＮＧアクセス技術に対する全要件（ＴＲ３８．９１３、Ｓｔｕｄｙ  ｏｎ  Ｓｃｅｎａｒｉｏｓ  ａｎｄ  Ｒｅｑｕｉｒｅｍｅｎｔｓ  ｆｏｒ  Ｎｅｘｔ  Ｇｅｎｅｒａｔｉｏｎ  Ａｃｃｅｓｓ  Ｔｅｃｈｎｏｌｏｇｉｅｓを参照）は、５Ｇ（Ｎｅｗ  Ｒａｄｉｏ（ＮＲ）とも呼ばれる）の設計（ＲＰ−１６０６７１、Ｎｅｗ  ＳＩＤ  Ｐｒｏｐｏｓａｌ：  Ｓｔｕｄｙ  ｏｎ  Ｎｅｗ  Ｒａｄｉｏ  Ａｃｃｅｓｓ  Ｔｅｃｈｎｏｌｏｇｙ、ＤｏＣｏＭｏを参照）に、モビリティから制御プレーン設計および機構まで影響を及ぼす。
【０００３】
Ｌｏｎｇ  Ｔｅｒｍ  Ｅｖｏｌｕｔｉｏｎ（ＬＴＥ）では、デュアルコネクティビティ（ＤＣ）スタディアイテムの間に、「ＲＲＣダイバーシティ」と呼ばれる、マスタエボルブドノードＢ（ｅＮＢ）（ＭｅＮＢ）と２次ｅＮＢ（ＳｅＮＢ）の両方を介して無線リソース制御（ＲＲＣ）メッセージを送ることをサポートするための項目が論じられた。これらのスタディでは、マルチレイヤ（周波数間）ＤＣシナリオのケースでＲＲＣダイバーシティが顕著な利得を提供し得ることが示された（３ＧＰＰ  ＴＲ３６．８４２、Ｓｔｕｄｙ  ｏｎ  Ｓｍａｌｌ  Ｃｅｌｌ  ｅｎｈａｎｃｅｍｅｎｔｓ  ｆｏｒ  Ｅ−ＵＴＲＡ  ａｎｄ  Ｅ−ＵＴＲＡＮ；  Ｈｉｇｈｅｒ  ｌａｙｅｒ  ａｓｐｅｃｔｓ  （Ｒｅｌｅａｓｅ  １２）、Ｄｅｃｅｍｂｅｒ  １１１３を参照）。しかしながら、時間が足りないために、ＲＲＣダイバーシティの優先順位は低く、作業項目から外された。
【０００４】
ＮＲでは、Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ  （ＵＲＬＬＣ）サービスに対して設定された要件（Ｒ２−１６３９９３、ＮＲ／ＬＴＥ  ｔｉｇｈｔ−ｉｎｔｅｒｗｏｒｋｉｎｇ：  ＣＰ  ｒｅｑｕｉｒｅｍｅｎｔｓ  ｏｎ  Ｍｏｂｉｌｉｔｙ  ａｎｄ  Ｄｕａｌ  Ｃｏｎｎｅｃｔｉｖｉｔｙ、Ｅｒｉｃｓｓｏｎ、ＲＡＮ２＃９４、２３−２７  Ｍａｙ  １２１６を参照）は、マルチレイヤ配置のためにいま一度のＲＲＣダイバーシティの再訪を示唆する。この文脈では、より広いヌメロロジのセットおよびより広い範囲の周波数の適用性が、ＲＲＣダイバーシティを前よりも望ましい特徴にし得る。これは、例えば、より低い周波数のＬＴＥレイヤがより良好な制御プレーンカバレッジを提供し得ると共に、より高い周波数のＮＲレイヤが、その想定される無線アクセス技術（ＲＡＴ）設計のおかげで、制御プレーンメッセージのより高速な配信を実現し得る。さらに、ＲＲＣダイバーシティは、初期のＬＴＥスタディ内で論じられたように、特にモビリティロバストネスを改善する助けとなり得る。
【０００５】
米国特許出願第１５／０３５７２９号「ＤＩＳＣＡＲＤＩＮＧ  Ａ  ＤＵＰＬＩＣＡＴＥ  ＰＲＯＴＯＣＯＬ  ＤＡＴＡ  ＵＮＩＴ  ＡＳＳＯＣＩＡＴＥＤ  ＷＩＴＨ  Ａ  ＤＡＴＡ  ＴＲＡＮＳＭＩＳＳＩＯＮ  ＶＩＡ  Ａ  ＦＩＲＳＴ  ＳＩＧＮＡＬＩＮＧ  ＲＡＤＩＯ  ＢＥＡＲＥＲ  ＯＲ  Ａ  ＳＥＣＯＮＤ  ＳＩＧＮＡＬＩＮＧ  ＲＡＤＩＯ  ＢＥＡＲＥＲ」は、パケットデータ収束プロトコル（ＰＤＣＰ）によって行われる分割を用いる、ＲＲＣダイバーシティについての重複廃棄のための受信機アルゴリズムを説明している。これは、同一のシーケンス番号Ｘを使用してＰＤＣＰプロトコルデータ単位（ＰＤＵ）がどのように複製されるかを定義し、受信機では、重複を除去するためにシーケンス番号が使用される。
【０００６】
ＵＲＬＬＣおよびモビリティロバストネスに関する前述の課題に対処するために、ダウンリンクとアップリンクの両方についてＲＲＣダイバーシティが想定される。しかしながら、動的リンク選択がどのように実現されるかについては、依然として未解決の問題である。
【０００７】
一般に、本明細書で使用されるすべての用語は、本明細書で別段に明示的に規定されていない限り、技術分野における通常の意味に従って解釈されるべきである。「要素、装置、構成要素、手段、ステップ（ａ／ａｎ／ｔｈｅ  ｅｌｅｍｅｎｔ，  ａｐｐａｒａｔｕｓ，  ｃｏｍｐｏｎｅｎｔ，  ｍｅａｎｓ，  ｓｔｅｐ）など」に対するすべての参照は、別段に明記されていない限り、要素、装置、構成要素、手段、ステップなどの少なくとも１つの例を参照すると公然と解釈されるべきである。本明細書で開示される任意の方法のステップは、明記されていない限り、開示される厳密な順序で実施される必要はない。
【発明の概要】
【０００８】
本明細書の実施形態の目的は、動的リンク選択を実施することのできる方法、ワイヤレスデバイス、およびネットワークノードを提供することである。いくつかの実施形態によれば、動的リンク選択のための方法が、１つまたは複数のネットワークノードとワイヤレスデバイスとの間の少なくとも２つのワイヤレスリンクを提供することを含む。少なくとも２つのワイヤレスリンクは、少なくとも２つの異なる無線アクセス技術に関連付けられる。方法は、１つまたは複数のネットワークノードの第１のネットワークノードに送られる制御データを取得することをさらに含む。制御データは第１の無線アクセス技術に関連付けられる。方法は、少なくとも２つのワイヤレスリンクの中から１つまたは複数のワイヤレスリンクを選択することをさらに含む。１つまたは複数のワイヤレスリンクは、第１の選択パラメータに基づいて選択され得る。選択された１つまたは複数のワイヤレスリンクは、第１のネットワークノードへの制御データの送信のために使用される。選択された１つまたは複数のワイヤレスリンクは、第２の無線アクセス技術に関連付けられる少なくとも第１のワイヤレスリンクを含む。方法はまた、第２の無線アクセス技術に関連付けられる少なくとも第１のワイヤレスリンクを介して、第１の無線アクセス技術に関連付けられる制御データを第１のネットワークノードに送信することをも含む。方法は、第１のネットワークノードで制御データを取得すること、および受信された制御データが重複した制御データであるかどうかを判定することをさらに含む。
【０００９】
いくつかの実施形態によれば、動的リンク選択のための方法は、ネットワークノードに送られるデータを取得することを含む。方法は、ネットワークノードに送られるデータの送信のために使用する１つまたは複数のワイヤレスリンクを選択することをさらに含む。１つまたは複数のワイヤレスリンクは、少なくとも２つの異なる無線アクセス技術に関連付けられる少なくとも２つの利用可能なワイヤレスリンクのグループから選択され得る。方法は、選択された１つまたは複数のワイヤレスリンクを介して、ネットワークノードにデータを送信することをさらに含む。
【００１０】
いくつかの実施形態では、送られるデータは、少なくとも２つの利用可能なワイヤレスリンクのうちの第１のワイヤレスリンクについての制御データを含む。第１のワイヤレスリンクは第１の無線アクセス技術に関連付けられる。そのような実施形態では、方法はまた、少なくとも２つの利用可能なワイヤレスリンクのうちの少なくとも第２のワイヤレスリンクを介して、ネットワークノードに制御データを送信することをも含み得る。第２のワイヤレスリンクは、第１の無線アクセス技術とは異なる第２の無線アクセス技術に関連付けられる。
【００１１】
いくつかの実施形態では、方法はまた、少なくとも２つの利用可能なワイヤレスリンクのグループから少なくとも２つのワイヤレスリンクを選択するとき、送信されるデータを複製することをも含む。そのような実施形態では、方法は、少なくとも２つの選択されたワイヤレスリンクを介して、複製されたデータをネットワークノードに送信することをさらに含み得、それによって、少なくとも２つの選択されたワイヤレスリンクが、異なる無線アクセス技術を介して同一のデータを搬送する。いくつかの例では、選択されたワイヤレスリンクのうちの少なくとも１つの上で送信されるデータが、第２のネットワークノードを介してネットワークノードに送信される。
【００１２】
いくつかの実施形態では、データの送信のために使用する１つまたは複数のワイヤレスリンクを選択することが、ワイヤレスリンクのそれぞれに関連付けられるリンク品質を評価することを含む。いくつかの実施形態では、データの送信のために使用する１つまたは複数のワイヤレスリンクを選択することが、ワイヤレスリンクのそれぞれに関連付けられるバッファステータスを評価することを含む。
【００１３】
いくつかの実施形態では、送られるデータは制御プレーンデータである。特定の実施形態では、データを送信することが、それぞれの選択されたワイヤレスリンクについて、それぞれの下位レイヤリンクにパケットデータ収束プロトコル（ＰＤＣＰ）プロトコルデータ単位（ＰＤＵ）を転送することを含む。
【００１４】
いくつかの実施形態では、１つまたは複数のワイヤレスリンクを選択することがＰＤＣＰ  ＰＤＵごとに行われる。いくつかの実施形態では、１つまたは複数のワイヤレスリンクを選択することが無線リンク制御（ＲＬＣ）ＰＤＵごとに行われる。いくつかの実施形態では、データは無線リソース制御（ＲＲＣ）メッセージを含む。
【００１５】
特定の実施形態によれば、動的リンク選択のためのワイヤレスデバイスが処理回路を備える。処理回路は、ネットワークノードに送られるデータを取得するように設定される。処理回路は、ネットワークノードに送られるデータの送信のために使用する１つまたは複数のワイヤレスリンクを選択するようにさらに設定される。１つまたは複数のワイヤレスリンクは、少なくとも２つの利用可能なワイヤレスリンクのグループから選択される。少なくとも２つの利用可能なワイヤレスリンクは、少なくとも２つの異なる無線アクセス技術に関連付けられる。ワイヤレスデバイスは、選択された１つまたは複数のワイヤレスリンクを介してネットワークノードにデータを送信するように設定されたワイヤレスインターフェースをさらに含む。ワイヤレスデバイスは、ワイヤレスデバイスに電力を供給するように設定された電源をさらに含む。ワイヤレスデバイスはユーザインターフェースをさらに含む。
【００１６】
いくつかの実施形態によれば、動的リンク選択のためのネットワークノードが、ワイヤレスデバイスとのワイヤレス通信のための少なくとも第１のワイヤレスリンクを提供するように設定されたワイヤレスインターフェースを備える。第１のワイヤレスリンクは第１の無線アクセス技術に関連付けられる。ネットワークノードは、ワイヤレスデバイスから制御データを取得するように設定された第２のインターフェースをさらに含む。制御データは、ワイヤレスデバイスによって第２のワイヤレスリンクを介して送信される。第２のワイヤレスリンクは、第１の無線アクセス技術とは異なる第２の無線アクセス技術に関連付けられる。ネットワークノードは、受信された制御データが重複した制御データであるかどうかを判定するように設定された処理回路をさらに含む。
【００１７】
いくつかの実施形態によれば、動的リンク選択のためのワイヤレスデバイスが、プロセッサおよびコンピュータ可読記憶媒体を備える。記憶媒体は、プロセッサによって実行可能である命令を含む。実行されるとき、ワイヤレスデバイスは、ネットワークノードに送られるデータを取得するように動作可能である。ワイヤレスデバイスは、ネットワークノードに送られるデータの送信のために使用する１つまたは複数のワイヤレスリンクを選択するようにさらに動作可能である。１つまたは複数のワイヤレスリンクは、少なくとも２つの利用可能なワイヤレスリンクのグループから選択される。少なくとも２つの利用可能なワイヤレスリンクは、少なくとも２つの異なる無線アクセス技術に関連付けられる。ワイヤレスデバイスは、選択された１つまたは複数のワイヤレスリンクを介してネットワークノードにデータを送信するようにさらに動作可能である。
【００１８】
特定の実施形態によれば、動的リンク選択のためのワイヤレスデバイスが、ネットワークノードに送られるデータを取得するように設定された取得ユニットを備える。ワイヤレスデバイスは、ネットワークノードに送られるデータの送信のために使用する１つまたは複数のワイヤレスリンクを選択するように設定された選択ユニットをさらに含む。１つまたは複数のワイヤレスリンクは、少なくとも２つの利用可能なワイヤレスリンクのグループから選択される。少なくとも２つの利用可能なワイヤレスリンクは、少なくとも２つの異なる無線アクセス技術に関連付けられる。ワイヤレスデバイスは、選択された１つまたは複数のワイヤレスリンクを介してネットワークノードにデータを送信するように設定された送信ユニットをさらに含む。
【００１９】
有利には、本明細書で提供される１つまたは複数の実施形態は、ワイヤレスネットワーク内の無線リソース（例えば、スペクトル、電力など）利用率およびロバストネスを改善する。いくつかの実施形態では、動的リンク選択は、制御プレーン（ＳＲＢ）データを複数のリンク上で送るか、それともリンクのうちの１つの上で送るかについての選択において追加することによって、複数の異なる無線アクセス技術（ＲＡＴ）に属するリソースの使用を改善し得る。
【００２０】
適切な場合はいつでも、上記の実施形態のいずれかの任意の特徴が任意の他の実施形態に適用され得ることに留意されたい。同様に、実施形態のいずれかの任意の利点が他の実施形態に適用され得、逆も同様である。開示される実施形態の他の目的、特徴、および利点が、以下の詳細な開示、添付の特許請求の範囲、および図面から明らかとなるであろう。
【００２１】
次に、添付の図面を参照しながら、特定の実施形態が例として説明される。
【図面の簡単な説明】
【００２２】
【図１】特定の実施形態によるワイヤレスネットワークを示す概略ブロック図である。
【図２】特定の実施形態によるユーザ機器を示す概略ブロック図である。
【図３】特定の実施形態によるＲＲＣダイバーシティを示すブロック図である。
【図４】特定の実施形態による下位レイヤフィードバックを示すブロック図である。
【図５】特定の実施形態によるＲＬＣ分割を示すブロック図である。
【図６】特定の実施形態による、動的リンク選択のための方法を示す流れ図である。
【図７】特定の実施形態による、動的リンク選択で使用される機能単位を示すブロック図である。
【発明を実施するための形態】
【００２３】
これから、特許請求の範囲によって企図される実施形態のいくつかが、添付の図面を参照しながら以下でより完全に説明される。しかしながら、特許請求の範囲内には他の実施形態が含まれ、特許請求の範囲が本明細書に記載の実施形態のみに限定されると解釈すべきではなく、むしろ、これらの実施形態は、本発明の概念の範囲を当業者に伝達するのを助けるために例として与えられる。説明全体にわたって同様の番号は同様の要素を指す。
【００２４】
図１は、特定の実施形態によるワイヤレスネットワークを示す概略ブロック図である。本明細書で説明される実施形態は、任意の適切なタイプおよび数の構成要素を使用して、任意の適切なタイプのシステムで実装され得るが、特定の実施形態は、図１に示される例示的ワイヤレス通信ネットワークなどのワイヤレスネットワークで実装され得る。図１の例示的実施形態では、ワイヤレス通信ネットワークは、１つまたは複数のワイヤレスデバイスに通信および他のタイプのワイヤレスサービスを提供する。図示される実施形態では、ワイヤレス通信ネットワークは、ワイヤレス通信ネットワークによって提供されるサービスへのワイヤレスデバイスのアクセスおよび／またはサービスの使用を容易にするネットワークノードの１つまたは複数のインスタンスを含む。ワイヤレス通信ネットワークは、ワイヤレスデバイスの間、またはワイヤレスデバイスと、固定電話やリモートサーバなどの別の通信デバイスとの間の通信をサポートするのに適した追加の要素をさらに含み得る。
【００２５】
ワイヤレス通信ネットワークは、任意のタイプの通信ネットワーク、電気通信ネットワーク、データネットワーク、セルラネットワーク、および／または無線ネットワーク、あるいは他のタイプのシステムを表し得る。特定の実施形態では、ワイヤレス通信ネットワークは、特定の規格または他のタイプの事前定義された規則もしくは手順に従って動作するように設定され得る。したがって、ワイヤレス通信ネットワークの特定の実施形態は、Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  （ＵＭＴＳ）、Ｌｏｎｇ  Ｔｅｒｍ  Ｅｖｏｌｕｔｉｏｎ  （ＬＴＥ）、および／または他の適切な２Ｇ、３Ｇ、４Ｇ、もしくは５Ｇ規格などの通信規格、ＩＥＥＥ  ８０２．１１規格などのワイヤレスローカルエリアネットワーク（ＷＬＡＮ）規格、ならびに／あるいはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、Ｂｌｕｅｔｏｏｔｈ、および／またはＺｉｇＢｅｅ規格などの任意の他の適切なワイヤレス通信規格を実装し得る。これらの様々な異なる規格が、本明細書では一般に無線アクセス技術（ＲＡＴ）と呼ばれ得る。
【００２６】
ネットワーク１５０は、１つまたは複数のＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、大都市圏ネットワーク、およびデバイス間の通信を可能にするための他のネットワークを備え得る。
【００２７】
図１には、特定の実施形態による、ネットワークノード１２０およびワイヤレスデバイス（ＷＤ）１１０のより詳細な図が示されている。簡単にするために、図１は、ネットワーク１５０、ネットワークノード１２０および１２０ａ、ならびにＷＤ１１０のみを示す。これらの構成要素は、ワイヤレスネットワーク内のワイヤレス接続、またはリンクを提供することなどの、ネットワークノードおよび／またはワイヤレスデバイス機能を提供するために一緒に働き得る。これらの構成要素はまた、動的リンク選択を提供するために働き得る。異なる実施形態では、ワイヤレスネットワークは、ワイヤード接続またはワイヤレス接続を介してデータおよび／または信号の通信を容易にし、またはそれに参加し得る任意の数のワイヤードもしくはワイヤレスネットワーク、ネットワークノード、基地局、コントローラ、ワイヤレスデバイス、中継局、および／または任意の他の構成要素を備え得る。
【００２８】
ネットワークノード１２０は、ワイヤレスデバイスと、および／またはワイヤレスリンクを介してＷＤ１１０にワイヤレスアクセスもしくはサービスが可能であり、かつ／または提供するワイヤレス通信ネットワーク内の他の機器と直接的または間接的に通信することが可能であり、そのように設定され、構成され、かつ／または動作可能である任意の機器を含み得る。例えば、ネットワークノード１２０はアクセスポイント（ＡＰ）、具体的には無線アクセスポイントであり得る。ネットワークノード１２０は、無線基地局などの基地局（ＢＳ）を表し得る。無線基地局の特定の例は、ノードＢ、およびエボルブドノードＢ（ｅＮＢ）を含む。一般には、基地局は、基地局が提供するカバレッジの量（または、別の言い方をすれば、基地局の送信電力レベル）に基づいて分類され得、したがって基地局は、フェムト基地局、ピコ基地局、マイクロ基地局、またはマクロ基地局とも呼ばれ得る。ネットワークノード１２０はまた、中央デジタルユニットおよび／またはリモート無線ヘッド（ＲＲＨ）とも呼ばれることのあるリモートラジオユニット（ＲＲＵ）などの分散無線基地局の１つまたは複数の（またはすべての）部分をも含み得る。そのようなリモートラジオユニットは、アンテナ一体型ラジオとしてアンテナと一体化されることがあり、またはされないことがある。分散無線基地局の各部分は、分散アンテナシステム（ＤＡＳ）内のノードとも呼ばれることがある。特定の非限定的な例として、基地局は、リレーノードまたはリレーを制御するリレードナーノードであり得る。
【００２９】
さらに別の例では、ネットワークノード１２０は、ＭＳＲ  ＢＳなどのマルチスタンダード無線（ＭＳＲ）ラジオ機器、無線ネットワークコントローラ（ＲＮＣ）や基地局コントローラ（ＢＳＣ）などのネットワークコントローラ、送受信基地局（ＢＴＳ）、送信ポイント、送信ノード、マルチセル／マルチキャスト協調エンティティ（ＭＣＥ）、コアネットワークノード（例えば、ＭＳＣ、ＭＭＥ）、Ｏ＆Ｍノード、ＯＳＳノード、ＳＯＮノード、位置決めノード（例えば、Ｅ−ＳＭＬＣ）、および／またはＭＤＴを含み得る。
【００３０】
図１では、ネットワークノード１２０は、インターフェース１２１、プロセッサ１２２、ストレージ１２３、およびアンテナ１２１ａを備える。これらの構成要素は、単一のより大きいボックス内に配置された単一のボックスとして示される。しかしながら実際には、ネットワークノードは、単一の図示される構成要素を構成する複数の異なる物理構成要素を備え得る（例えば、インターフェース１２１は、ワイヤード接続用のワイヤを結合するための端末と、ワイヤレス接続用の無線トランシーバとを備え得る）。別の例として、ネットワークノード１２０は、複数の異なる物理的に別々の構成要素がその中で対話してネットワークノード１２０の機能を提供する仮想ネットワークノードであり得る（例えば、プロセッサ１２２は、３つの別々エンクロージャ内に配置された３つの別々のプロセッサを備え得、各プロセッサは、ネットワークノード１２０の特定のインスタンスについての異なる機能の任を担う）。同様に、ネットワークノード１２０は、複数の物理的に別々の構成要素（例えば、ＮｏｄｅＢ構成要素およびＲＮＣ構成要素、ＢＴＳ構成要素およびＢＳＣ構成要素など）から構成され得、構成要素は、それ自体のプロセッサ、ストレージ、およびインターフェース構成要素をそれぞれ有し得る。ネットワークノード１２０が複数の別々の構成要素（例えば、ＢＴＳおよびＢＳＣ構成要素）を備えるいくつかのシナリオでは、別々の構成要素のうちの１つまたは複数が、いくつかのネットワークノードの間で共有され得る。例えば、単一のＲＮＣが複数のＮｏｄｅＢを制御し得る。そのようなシナリオでは、それぞれの固有のＮｏｄｅＢおよびＢＳＣ対が、別々のネットワークノードと見なされ得る。いくつかの実施形態では、ネットワークノード１２０は、複数の無線アクセス技術（ＲＡＴ）をサポートするように設定され得る。そのような実施形態では、いくつかの構成要素が複製され得（例えば、異なるＲＡＴについて別々のストレージ１２３）、いくつかの構成要素が再利用され得る（例えば、同一のアンテナ１２１ａがＲＡＴによって共有され得る）。
【００３１】
プロセッサ１２２は、マイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソースのうち１つまたは複数の組合せ、あるいは単独で、またはストレージ１２３などの他のネットワークノード１２０構成要素と共に、ネットワークノード１２０機能を提供するように動作可能なハードウェア、ソフトウェア、および／または符号化された論理の組合せであり得る。例えば、プロセッサ１２２は、ストレージ１２３内に記憶された命令を実行し得る。そのような機能は、本明細書で開示される特徴または利点のいずれかを含む、本明細書で論じられる様々なワイヤレス特徴をＷＤ１１０などのワイヤレスデバイスに提供することを含み得る。
【００３２】
ストレージ１２３は、限定はしないが、永続的ストレージ、固体メモリ、リモートに取り付けられたメモリ、磁気媒体、光媒体、ランダムアクセスメモリ（ＲＡＭ）、読取り専用メモリ（ＲＯＭ）、取外し可能媒体、または任意の他の適切なローカルもしくはリモートメモリ構成要素を含む、任意の形態の揮発性または不揮発性コンピュータ可読メモリを備え得る。ストレージ１２３は、ネットワークノード１２０によって利用される、ソフトウェアおよび符号化された論理を含む、任意の適切な命令、データ、または情報を記憶し得る。ストレージ１２３は、プロセッサ１２２によって行われた任意の計算、および／またはインターフェース１２１を介して受信された任意のデータを記憶するために使用され得る。
【００３３】
ネットワークノード１２０はまた、ネットワークノード１２０、ネットワーク１５０、および／またはＷＤ１１０の間のシグナリングおよび／またはデータのワイヤードまたはワイヤレス通信で使用され得るインターフェース１２１をも備える。例えば、インターフェース１２１は、ネットワークノード１２０がワイヤード接続を介してネットワーク１５０からデータを送り、受信することを可能とするために必要とされ得る任意のフォーマット、コーディング、または変換を実施し得る。インターフェース１２１はまた、アンテナ１２１ａに結合され、またはアンテナ１２１ａの一部であり得る無線送信機、受信機、および／またはトランシーバをも含み得る。無線は、ワイヤレス接続を介して他のネットワークノードまたはＷＤに送り出されるデジタルデータを受信し得る。無線は、適切なチャネルおよび帯域幅パラメータを有する無線信号にデジタルデータを変換し得る。次いで無線信号は、アンテナ１２１ａを介して適切な受信側（例えば、ＷＤ１１０）に送信され得る。
【００３４】
アンテナ１２１ａは、ワイヤレスにデータおよび／または信号を送信および受信することのできる任意のタイプのアンテナであり得る。いくつかの実施形態では、アンテナ１２１ａは、例えば２ＧＨｚから６６ＧＨｚの間の無線信号を送信／受信するように動作可能な１つまたは複数の全方向性アンテナ、セクタアンテナ、またはパネルアンテナを備え得る。全方向性アンテナは、任意の方向の無線信号を送信／受信するために使用され得、セクタアンテナは、特定のエリア内のデバイスから無線信号を送信／受信するために使用され得、パネルアンテナは、比較的直線に無線信号を送信／受信するために使用される視線アンテナであり得る。
【００３５】
ＷＤ１１０は、ネットワークノードおよび／または別のワイヤレスデバイスとワイヤレスに通信することが可能であり、そのように設定され、構成され、かつ／または動作可能である任意のデバイスを表し得る。ワイヤレスに通信することは、電磁的信号、電波、赤外線信号、および／または大気を通じて情報を搬送するのに適した他のタイプの信号を使用してワイヤレス信号を送信および／または受信するものであり得る。特定の実施形態では、ＷＤ１１０は、直接的な人間の対話なしに情報を送信および／または受信するように設定され得る。例えば、ＷＤ１１０は、所定のスケジュールで、内部または外部イベントによってトリガされたとき、またはネットワークからの要求に応答して、ネットワークに情報を送信するように設計され得る。一般には、ＷＤ１１０は、ワイヤレス通信が可能であり、ワイヤレス通信のために設定され、構成され、かつ／または動作可能である任意のデバイス、例えば無線通信デバイスを表し得る。ワイヤレスデバイスの例には、限定はしないが、スマートフォンなどのユーザ機器（ＵＥ）が含まれる。別の例には、ワイヤレスカメラ、ワイヤレス対応タブレットコンピュータ、ラップトップ組込み機器（ＬＥＥ）、ラップトップ搭載機器（ＬＭＥ）、ＵＳＢドングル、および／またはワイヤレス顧客構内機器（ＣＰＥ）が含まれる。
【００３６】
１つの特定の例として、ＷＤ１１０は、第３世代パートナーシッププロジェクト（３ＧＰＰ）のＧＳＭ、ＵＭＴＳ、ＬＴＥ、および／または５Ｇ規格などの、３ＧＰＰによって公表された１つまたは複数の通信規格に従う通信のために設定された図２のＵＥ２００などのＵＥを表し得る。本明細書では、「ユーザ機器」または「ＵＥ」は、関連するデバイスを所有および／または操作する人間のユーザという意味での「ユーザ」を必ずしも有さないことがある。むしろ、ＵＥは、人間のユーザへの販売、または人間のユーザによる操作が意図されるが、当初は特定の人間のユーザに関連付けられないことのあるデバイスを表し得る。ワイヤレスデバイスは、例えばサイドリンク通信のための３ＧＰＰ規格を実装することによって、デバイス間（Ｄ２Ｄ）通信をサポートし得、このケースではＤ２Ｄ通信デバイスと呼ばれることがある。
【００３７】
さらに別の特定の例として、モノのインターネット（ＩＯＴ）シナリオでは、ＷＤ１１０は、監視および／または測定を実施し、そのような監視および／または測定の結果を別のワイヤレスデバイスおよび／またはネットワークノードに送信するマシンまたは他のデバイスを表し得る。このケースでは、ＷＤ１１０はマシンツーマシン（Ｍ２Ｍ）デバイスであり得、Ｍ２Ｍデバイスは、３ＧＰＰの文脈ではマシン型通信（ＭＴＣ）デバイスと呼ばれることがある。１つの特定の例として、ＷＤ１１０は、３ＧＰＰナローバンドモノのインターネット（ＮＢ−ＩｏＴ）規格を実装するＵＥであり得る。そのようなマシンまたはデバイスの特定の例は、センサ、電力計などの計量デバイス、産業機械、またはホームアプライアンスもしくはパーソナルアプライアンス（例えば、冷蔵庫、テレビジョン、腕時計などのパーソナルウェアラブルなど）である。他のシナリオでは、ＷＤ１１０は、その動作ステータスまたはその動作に関連する他の機能を監視および／またはレポートすることができる車両または他の機器を表し得る。
【００３８】
前述のようなワイヤレスデバイスはワイヤレス接続のエンドポイントを表し得、そのケースでは、デバイスはワイヤレス端末と呼ばれることがある。さらに、前述のようなワイヤレスデバイスはモバイルであり得、そのケースでは、ワイヤレスデバイスはモバイルデバイスまたはモバイル端末と呼ばれることがある。
【００３９】
図１に示されるように、ＷＤ１１０は、ネットワークノード１２０および／または他のＷＤなどのネットワークノードとの間でデータおよび／または信号をワイヤレスに送り、受信することのできる、任意のタイプのワイヤレスエンドポイント、移動局、携帯電話、ワイヤレスローカルループフォン、スマートフォン、ユーザ機器、デスクトップコンピュータ、ＰＤＡ、セルフォン、タブレット、ラップトップ、ＶｏＩＰフォン、またはハンドセットであり得る。ＷＤ１１０は、インターフェース１１１、プロセッサ１１２、ストレージ１１３、およびアンテナ１１１ａを備える。ＷＤ１１０の構成要素が、単一のより大きいボックス内に配置された単一のボックスとして示されているが、実際には、ワイヤレスデバイスは、単一の図示される構成要素を構成する複数の異なる物理構成要素を備え得る（例えば、ストレージ１１３は複数の別個のマイクロチップを備え得、各マイクロチップは全記憶容量の一部を表す）。
【００４０】
プロセッサ１１２は、マイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソースのうち１つまたは複数の組合せ、あるいは単独で、またはストレージ１１３などの他のＷＤ１１０構成要素と共に、ＷＤ１１０機能を提供するように動作可能なハードウェア、ソフトウェア、および／または符号化された論理の組合せであり得る。そのような機能は、本明細書で開示される特徴または利点のいずれかを含む、本明細書で論じられる様々なワイヤレス特徴を提供することを含み得る。
【００４１】
ストレージ１１３は、限定はしないが、永続的ストレージ、固体メモリ、リモートに取り付けられたメモリ、磁気媒体、光媒体、ランダムアクセスメモリ（ＲＡＭ）、読取り専用メモリ（ＲＯＭ）、取外し可能媒体、または任意の他の適切なローカルもしくはリモートメモリ構成要素を含む、任意の形態の揮発性または不揮発性メモリであり得る。ストレージ１１３は、ＷＤ１１０によって利用される、ソフトウェアおよび符号化された論理を含む、任意の適切なデータ、命令、または情報を記憶し得る。ストレージ１１３は、プロセッサ１１２によって行われた任意の計算、および／またはインターフェース１１１を介して受信された任意のデータを記憶するために使用され得る。
【００４２】
インターフェース１１１は、ＷＤ１１０とネットワークノード１２０との間のシグナリングおよび／またはデータのワイヤレス通信で使用され得る。例えば、インターフェース１１１は、ＷＤ１１０がワイヤレス接続を介してネットワークノード１２０からデータを送り、受信することを可能とするために必要とされ得る任意のフォーマット、コーディング、または変換を実施し得る。インターフェース１１１はまた、アンテナ１１１ａまたはアンテナ１１１ａの一部に結合され得る無線送信機および／または受信機をも含み得る。無線は、ワイヤレス接続を介してネットワークノード１２１に送り出されるデジタルデータを受信し得る。無線は、適切なチャネルおよび帯域幅パラメータを有する無線信号にデジタルデータを変換し得る。次いで無線信号は、アンテナ１１１ａを介してネットワークノード１２０に送信され得る。インターフェース１１１はまた、（入力インターフェース２２０などの）入力インターフェースと、（出力インターフェース２２５などの）出力インターフェースとを含むユーザインターフェースをも含み得る。
【００４３】
アンテナ１１１ａは、ワイヤレスにデータおよび／または信号を送信および受信することのできる任意のタイプのアンテナであり得る。いくつかの実施形態では、アンテナ１１１ａは、例えば２ＧＨｚから６６ＧＨｚの間の無線信号を送信／受信するように動作可能な１つまたは複数の全方向性アンテナ、セクタアンテナ、またはパネルアンテナを備え得る。簡単にするために、アンテナ１１１ａは、ワイヤレス信号が使用されている範囲で、インターフェース１１１の一部と見なされ得る。
【００４４】
図１に示される様々なデバイスの様々な構成要素が、動的リンク選択を提供する際に使用され得る。動的リンク選択はまた、本明細書で具体的には示されていないが、本明細書で論じられるのと類似の特徴または機能を提供することが知られているデバイスおよび／または構成要素によっても実施され得る。以下では、特徴、利点、および構成要素の以下の例および説明が、大部分は制御プレーン（ＣＰ）送信のためにどのように動的リンク選択が行われ得るかに関連して説明される。しかしながら、類似の特徴および利点がユーザプレーン（ＵＰ）送信にも適用可能であり得る。図示される構成要素、および図示される構成要素が動的リンク選択を提供するために様々な実施形態でどのように使用され得るかを説明する際に、ワイヤレスデバイス１１０がネットワークノード１２０とのワイヤレスリンク１３０およびネットワークノード１２０ａとのワイヤレスリンク１４０を確立していると仮定され得る。これらの２つのワイヤレスリンクが異なる無線アクセス技術に基づくことがさらに仮定され得る。例えば、ワイヤレスリンク１３０はＬＴＥに基づき得、ワイヤレスリンク１４０はＷｉＭＡＸに基づき得る。別の例として、ワイヤレスリンク１３０はＮＲに基づき得、ワイヤレスリンク１４０はＷｉＦｉに基づき得る。ワイヤレスデバイス１１０のワイヤレスインターフェースの機能および特徴に応じて、様々な他の組合せのいずれかが可能であり得る。
【００４５】
一実施形態では、ワイヤレスデバイス１１０のプロセッサ１１２は処理回路を備え得る。処理回路は、ネットワークノード１２０にインターフェース１１１を介して送られるデータを取得し得る。送られるデータは、様々な形式を取り得、様々なソースを通じて取得され得る。例えば、いくつかの実施形態では、データは、プロセッサ１１２によって生成される制御データ（例えば、制御プレーンデータ、無線リソース制御（ＲＲＣ）データなど）であり得る。別の例では、データは、ワイヤレスデバイス１１０のユーザインターフェース、またはプロセッサ１１２によって実行中の何らかのプログラムもしくはアプリケーションを通じて受信されたユーザデータ（例えば、ユーザによって入力されたデータなどのユーザプレーンデータ、ワイヤレスデバイス１１０によって実行中の１つまたは複数のプログラムによって生成されたデータなど）であり得る。
【００４６】
次いでプロセッサ１１２は、ネットワークノード１２０にデータを送信するのに使用するためにワイヤレスリンク１３０および／または１４０を選択し得る。プロセッサ１１２は、チャネル条件、バッファステータス、および／またはデータの送信のために使用され得る可能なワイヤレスリンク１３０および１４０のリンク品質を検査し得る。リンク選択は絶対値または相対値に基づき得る。例えば、いくつかのシナリオでは、チャネル条件および／またはワイヤレスリンク１３０および１４０についてのリンク品質は、ワイヤレスリンク１４０が基地局１２０によって提供されるものとは異なる無線アクセス技術に関連付けられるとしても、プロセッサ１１２が基地局１２０に制御データを送るためにワイヤレスリンク１４０を選択し得るようなものであり得る。いくつかの例では、プロセッサ１１２は、データを送るのに使用するために複数のワイヤレスリンクを選択し得る。例えば、プロセッサ１１２は、ネットワークノード１２０にデータを送るのに使用するためにワイヤレスリンク１３０と１４０の両方を選択し得る。
【００４７】
いくつかの実施形態では、プロセッサ１１２は、下位レイヤフィードバックメッセージを使用してリンク品質を評価し得る。これを図４で見ることができる。例えば、肯定応答メッセージ４２０がワイヤレスリンク４１０上でＰＤＵ１について受信される場合、プロセッサ１１２は、ワイヤレスリンク４３０がマスタセルグループ（例えば、データが関連付けられるセル）に関連付けられるとしても、ワイヤレスリンク４３０はワイヤレスリンク４１０ほど望ましくないと決定し得る。いくつかの実施形態では、下位レイヤ（ＲＬＣ／ＭＡＣ）がＰＤＣＰ  ＰＤＵの送達成功を示す場合、ＷＤ１１０のプロセッサ１１２は、ＰＤＣＰレベルで、下位レイヤにＰＤＵを転送することなく、または別のリンクからの第２の指示を待機することなく、ＰＤＵを廃棄し得る。
【００４８】
複数のワイヤレスリンクが選択される場合、プロセッサ１１２は、複数のワイヤレスリンクを介する送信に適するように、データの処理を繰り返す必要があり得る。例えば、プロセッサはデータを複製し得る。別の例として、プロセッサ１１２は、データのパッケージング（例えば、フォーマット、ヘッダ、パケット化など）を繰り返し得る。データのパッケージングを繰り返す際に、プロセスが反復されるが、実際の情報は変化し得る。すなわち、プロセッサ１１２は、第２のヘッダを作成し得るが、そのヘッダは異なるアドレスを含み得る。プロセッサ１１２は、パケットデータ収束プロトコル（ＰＤＣＰ）プロトコルデータ単位（ＰＤＵ）ごとに、データを送るためのワイヤレスリンクを選択し得る。すなわち、プロセッサ１１２は、第１のＰＤＣＰ  ＰＤＵを送るためにワイヤレスリンク１３０を選択し、次いで、すぐ後続のＰＤＣＰ  ＰＤＵを送るためにワイヤレスリンク１４０を選択し得る。いくつかの実施形態では、プロセッサ１１２は、無線リンク制御（ＲＬＣ）ＰＤＵごとに、データを送るのに使用するためにワイヤレスリンクを選択し得る。
【００４９】
インターフェース１１１は、選択されたワイヤレスリンクを介してデータを送ることのできるワイヤレスインターフェースを備え得る。例えば、プロセッサ１１２がネットワークノード１２０にデータを送るためにワイヤレスリンク１４０を選択し、ワイヤレスリンク１４０がＬＴＥリンクである場合、インターフェース１１１は、無線、送信機、またはワイヤレスリンク１４０を介してＬＴＥメッセージを送信するのに必要な他のそのようなインターフェース構成要素を備え得る。図１からわかるように、ワイヤレスリンク１４０を介して送られるデータがネットワークノード１２０に到達するために、データはまずネットワークノード１２０ａによって受信され、次いでネットワークノード１２０に転送されなければならない。
【００５０】
インターフェース１１１は、ワイヤレスリンク１３０と１４０の一方または両方を介してデータを受信することのできるワイヤレスインターフェースを備え得る。このことを図３および図５でより良く理解することができ、図３は、ＰＤＣＰレベルでのＲＲＣダイバーシティを示すブロック図であり、図５は、ＲＬＣレベルでのＲＲＣダイバーシティを示すブロック図である。図３に関連して、ＲＲＣダイバーシティがＰＤＣＰレベル分割に基づいて実現される。ＷＤ１１０のためのデータが１次またはマスタネットワークノード３１０によって受信され、ＲＲＣダイバーシティがＰＤＣＰレベル３１１でアクティブであるとき、マスタネットワークノード３１０は、ノード間インターフェースＸ２＊を介して２次ネットワークノード３２０にデータを送り得、２次ネットワークノード３２０では、２次ネットワークノード３２０のＲＬＣ３２１でデータが受信され、処理される。データが２つのネットワークノード内の下位レイヤに転送されるとき、データは、最終的には、インターフェース１１１がデータを受信することを可能にするワイヤレスリンク１３０および１４０を介して送信される。いくつかのシナリオでは、マスタネットワークノード３１０によって当初受信されたデータは、２次ネットワークノード３２０によって送信され得るだけである。一方、または他方、または両方のワイヤレスリンクの選択は、ＰＤＵ（ＲＲＣ  ＰＤＵもしくはＳＤＵ、またはＰＤＣＰ  ＰＤＵ）ごとに行われ得る。図５に関連して、マスタネットワークノード５１０はデータを受信するが、このシナリオでは、ＰＤＣＰ５１１がＲＬＣ５１２にデータを転送し、次いでデータがノード間インターフェースＸ２＊を介してＲＬＣ５２２に送られる。ＲＬＣ分割が使用されるときのＲＲＣダイバーシティアーキテクチャである図５では、実線のＲＬＣ５１２は、ＲＲＣダイバーシティ／分割が実現されるマスタＲＬＣを表す。破線のＲＬＣ５２２は、２次ネットワークノード５２０で基本ＲＬＣ機能を処理する２次またはスレーブＲＬＣを指す。
【００５１】
図３および図５では、ノード間インターフェースＸ２＊は、マスタネットワークノード３１０／５１０と２次ネットワークノード３２０／５２０との間のノード間インターフェースを表す。ノード間インターフェースＸ２＊は、ネットワークノード間でメッセージ、情報、および／または他のデータを送り、受信するために使用され得る。例えば、ネットワークノード１２０のインターフェース１２１がネットワークノード１２０ａのためのデータをＷＤ１１０から受信する場合、インターフェース１２１は、ノード間インターフェースＸ２＊を介してネットワークノード１２０ａにデータを転送し得る。ノード間インターフェースＸ２＊は、２つの基地局の間の任意の数のホップを含み得るワイヤードまたはワイヤレス接続を表し得る。
【００５２】
いくつかの実施形態では、プロセッサ１１２およびストレージ１１３は、ＲＲＣダイバーシティの文脈で下位レイヤリンクにＰＤＵをマッピングするために使用され得る。いくつかの実施形態では、ＰＤＣＰプロトコルレイヤでのシグナリング無線ベアラ（ＳＲＢ）レベル分割の制御プレーンアーキテクチャが採用され得る。いくつかの実施形態では、ＲＬＣ（図５参照）やメディアアクセス制御（ＭＡＣ）などの他のプロトコルレイヤもＲＲＣダイバーシティを使用可能にし得る。本明細書で開示される実施形態は、与えられたアーキテクチャ例に限定されず、選択されたアーキテクチャオプションからの影響をほとんど受けずに基本原理が実現され得る。いくつかの実施形態では、ＲＲＣダイバーシティが活動化され得る前に、プロセッサ１１２およびインターフェース１１１は、それぞれのワイヤレスリンクを設定し、それぞれのＲＡＴのいくつかのセキュリティ特徴を使用可能にする必要があり得る。これは、初期接続セットアップまたは接続再確立の間に行われ得る。
【００５３】
いくつかの実施形態では、ＷＤ１１０のプロセッサ１１２は、ＲＲＣ  ＰＤＵ／ＳＤＵごとにリンク選択決定を行い得る。例えば、プロセッサ１１２は、ＲＲＣメッセージタイプに基づいて決定を行い得る。例えば、ＨＯコマンドは、下位レイヤによってワイヤレスリンク１３０と１４０の両方の上で送られ得る。
【００５４】
別の実施形態では、プロセッサ１１２は、ＰＤＣＰ  ＰＤＵごとにリンク選択決定を行い得る。このケースでは、ＰＤＣＰエンティティは、下位レイヤによって提供されるサービスに基づいて決定を行い得、例えば、これは単に、ＰＤＣＰ  ＰＤＵの送達成功の指示であり得る。いくつかの実装では、サービスは単に、動的リンク選択決定自体であり得、またはマッピングのために使用され得る測定指示もしくは測定レポートであり得る。
【００５５】
実施形態のいくつかでは、リンク選択決定がＰＤＣＰ  ＰＤＵごとに行われる場合、プロセッサ１１２は、両方の／すべての設定されたワイヤレスリンクに制御プレーンデータをマッピングすることを省略し得る。これは、制御プレーンデータについてのダイバーシティおよび改善されたロバストネスを実現し得る。ＲＲＣダイバーシティがＲＬＣレベル分割によって実現される場合などの別の実施形態では、動的リンク選択は、ＲＬＣ  ＰＤＵごとに、または上位レイヤによって（例えば、ＰＤＣＰ  ＰＤＵまたはＲＲＣ  ＰＤＵ／ＳＤＵごとに）行われ得る。
【００５６】
いくつかの実施形態では、動的リンク選択は（例えば、ダウンリンクについて）実装特有のものであり得、（例えば、アップリンクについて）標準化され得る。これは、ＷＤ１１０の挙動の予測可能性を改善し得る。これはまた、例えば、動的リンク選択の記憶について、各リンクの信号品質およびレイテンシの側面を考慮に入れることを可能にし得る。いくつかの実施形態では、プロセッサ１１２は、測定および測定レポートの少なくとも１つに基づいてどのリンクを使用するかを選択し得る。いくつかの実施形態では、リンク選択決定は、送信機側（ダウンリンク（ＤＬ）についてはネットワークノード１２０、およびアップリンク（ＵＬ）についてはＷＤ１１０）で行われ得る。あるいは、ネットワークノード１２０は、送信側エンティティにコマンドを送ることによって両方向で決定を制御し得る。コマンドは、物理レイヤ、ＭＡＣレイヤ、ＰＤＣＰレイヤ、またはＲＲＣレイヤ上で送られ得る。
【００５７】
いくつかの実施形態では、プロセッサ１１２は、リンク選択を行うために逆方向リンクについての測定値を使用し得る。これは、チャネル相互関係が利用され得る場合に適していることがある。例えば、プロセッサ１１２は、ネットワークノード１２０から受信されたデータについてのダウンリンク測定（例えば、信号強度）を実施し得る。次いで、ネットワークノード１２０へのアップリンクデータ送信のためにインターフェース１１１が使用し得るのはどのワイヤレスリンクかを選択する際に、測定値が使用され得る。
【００５８】
いくつかの実施形態では、インターフェース１１１は送信のためのデータを準備し得る。データが複数のリンクを介して送信されている場合、データを送信するために使用される各ワイヤレスリンクについて、データが別々に、または独立して準備され得る。例えば、それぞれの選択されたワイヤレスリンクについて、インターフェース１１１は、それぞれの下位レイヤリンクにＰＤＣＰ  ＰＤＵを転送し得る。そのように行う際に、プロセッサ１１２およびストレージ１１３は、それぞれの下位レイヤに送られているデータを複製するために使用され得る。
【００５９】
ネットワークノード１２０のインターフェース１２１は、ワイヤレスデバイス１１０から直接的に、ワイヤレスリンク１３０を介して、またはネットワークノード１２０ａから間接的にデータを受信し得る。データがどこで受信されるかに応じて、インターフェース１２１の異なる構成要素が使用され得る。すなわち、ワイヤレスリンク１３０を介してデータを受信するためにワイヤレスインターフェース構成要素が使用され得、ネットワークノード１２０ａから間接的にデータを受信するためにワイヤードインターフェース構成要素が使用され得る。
【００６０】
プロセッサ１２２は、インターフェース１２１によって受信されたデータを解析するための処理回路を備え得る。例えば、インターフェース１２１は、ワイヤレスデバイス１１０が複数のワイヤレスリンクを通じて送ったデータを受信し得るので、ネットワークノード１２０は、重複データを受信し得る。したがって、プロセッサ１２２は、受信されたデータを検査して、重複データであるかどうかを判定し得る。例えば、インターフェース１２１がまずワイヤレスリンク１３０からデータを受信する場合、プロセッサ１２２は、データが重複データではないと判定し得る。次いで、インターフェース１２１がネットワークノード１２０ａから同一のデータを受信する場合、プロセッサ１２２は、データが重複データであると判定し得る。いくつかの実施形態では、重複データは廃棄され得る。いくつかの実施形態では、重複データは、再送信を要求しなければならないことを回避するために、重複データが組み合わされ得る。
【００６１】
プロセッサ１２２が実施し得る別の形態の解析は、内部で処理するためにデータを保つか、それともネットワークノード１２０ａにデータを転送するかを判定することである。すなわち、ワイヤレスデバイス１１０は、ネットワークノード１２０ａのための、制御データなどのデータを送るために、ワイヤレスリンク１３０を使用し得る。プロセッサ１２２は、ワイヤレスリンク１３０を介して受信されたデータがネットワークノード１２０についてのものか、それともネットワークノード１２０ａについてのものかを判定する必要があり得る。受信されたデータがネットワークノード１２０ａについてのものである場合、インターフェース１２１はデータを準備し、ネットワークノード１２０ａにデータを送信し得る。インターフェース１２１は、ワイヤレスデバイス１１０からデータを受信し、またはネットワークノード１２０ａにデータを転送するために、異なる構成要素を使用し得る。
【００６２】
図２は、特定の実施形態によるユーザ機器の概略ブロック図である。ユーザ機器（ＵＥ）２００はワイヤレスデバイスのタイプである。ＵＥ２００は、アンテナ２０５、無線フロントエンド回路２１０、処理回路２１５、入力インターフェース２２０、出力インターフェース２２５、コンピュータ可読記憶媒体２３０、および電源２３５を含む。アンテナ２０５は、１つまたは複数のアンテナまたはアンテナアレイを含み得、ワイヤレス信号を送り、かつ／または受信するように設定され、無線フロントエンド回路２１０に接続される。いくつかの代替実施形態では、ＵＥ２００はアンテナ２０５を含まないことがあり、その代わりに、アンテナ２０５はＵＥ２００とは別々のものであり、インターフェースまたはポートを通じてＵＥ２００に接続可能であり得る。
【００６３】
無線フロントエンド回路２１０は、アンテナ２０５と共に、インターフェース、より具体的にはワイヤレスインターフェースの部分と見なされ得る。無線フロントエンド回路２１０は、無線信号を生成または復号化する際に使用される様々なフィルタおよび増幅器を備え得る。無線フロントエンド回路２１０は、アンテナ２０５および処理回路２１５に接続される。無線フロントエンド回路２１０は、アンテナ２０５と処理回路２１５との間で通信される信号を調整するように設定される。いくつかの代替実施形態では、ＵＥ２００は別個の無線フロントエンド回路２１０を含まないことがあり、その代わりに処理回路２１５が、無線フロントエンド回路２１０なしでアンテナ２０５に接続され得る。
【００６４】
処理回路２１５は、無線周波数（ＲＦ）トランシーバ回路、ベースバンド処理回路、およびアプリケーション処理回路のうちの１つまたは複数を含み得る。いくつかの実施形態では、ＲＦトランシーバ回路、ベースバンド処理回路、およびアプリケーション処理回路は、別々のマイクロチップ上、またはチップのセット上にあり得る。代替実施形態では、ベースバンド処理回路およびアプリケーション処理回路の部分またはすべてが、１つのマイクロチップ、またはチップのセット内に組み合わされ得、ＲＦトランシーバ回路は、別々のマイクロチップ上、またはチップのセット上にあり得る。さらに代替の実施形態では、ＲＦトランシーバ回路およびベースバンド処理回路の部分またはすべては、同一のマイクロチップ、またはチップのセット上にあり得、アプリケーション処理回路は別々のマイクロチップ、またはチップのセット上にあり得る。さらに別の代替実施形態では、ＲＦトランシーバ回路、ベースバンド処理回路、およびアプリケーション処理回路の部分またはすべてが、同一のマイクロチップ、またはチップのセット内に組み合わされ得る。処理回路２１５は、例えば、１つまたは複数の中央演算処理装置（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含み得る。
【００６５】
特定の実施形態では、ワイヤレスデバイスによって提供されるものとして本明細書で説明される機能のいくつかまたはすべてが、コンピュータ可読記憶媒体２３０上に記憶された命令を実行する処理回路２１５によって提供され得る。代替実施形態では、機能のいくつかまたはすべてが、ハードワイヤード式などで、コンピュータ可読媒体上に記憶された命令を実行することなく、処理回路２１５によって提供され得る。それらの特定の実施形態のいずれでも、コンピュータ可読記憶媒体上に記憶された命令を実行するか否かに関わらず、処理回路２１５は、記載の機能を実施するように設定されると言うことができる。そのような機能によって提供される利点は、処理回路２１５単独、またはＵＥ２００の他の構成要素に限定されず、ＵＥ２００によって全体として享受され、かつ／またはエンドユーザおよびワイヤレスネットワークによって全般的に享受される。
【００６６】
アンテナ２０５、無線フロントエンド回路２１０、および／または処理回路２１５は、ワイヤレスデバイスによって実施されるものとして本明細書で説明される任意の受信動作を実施するように設定され得る。任意の情報、データ、および／または信号が、ネットワークノードおよび／または別のワイヤレスデバイスから受信され得る。
【００６７】
処理回路２１５は、ワイヤレスデバイスによって実施されるものとして本明細書で説明される任意の決定動作を実施するように設定され得る。処理回路２１５によって実施される決定は、例えば処理回路２１５によって得られた情報を他の情報に変換することによって、得られた情報を処理すること、得られた情報または変換された情報をワイヤレスデバイス内に記憶された情報と比較すること、および／または得られた情報または変換された情報に基づいて１つまたは複数の動作を実施すること、ならびに前記処理の結果として決定を行うことを含み得る。
【００６８】
アンテナ２０５、無線フロントエンド回路２１０、および／または処理回路２１５は、ワイヤレスデバイスによって実施されるものとして本明細書で説明される任意の送信動作を実施するように設定され得る。任意の情報、データ、および／または信号が、ネットワークノードおよび／または別のワイヤレスデバイスに送信され得る。
【００６９】
コンピュータ可読記憶媒体２３０は一般に、論理、規則、コード、テーブルなどのうちの１つまたは複数を含む、コンピュータプログラム、ソフトウェア、アプリケーションなどの命令、および／またはプロセッサによって実行することのできる他の命令を記憶するように動作可能である。コンピュータ可読記憶媒体２３０の例には、コンピュータメモリ（例えば、ランダムアクセスメモリ（ＲＡＭ）または読取り専用メモリ（ＲＯＭ））、大容量記憶媒体（例えば、ハードディスク）、取外し可能記憶媒体（例えば、コンパクトディスク（ＣＤ）またはデジタルビデオディスク（ＤＶＤ））、ならびに／あるいは処理回路２１５によって使用され得る情報、データ、および／または命令を記憶する任意の他の揮発性または不揮発性の非一時的コンピュータ可読および／またはコンピュータ実行可能メモリデバイスが含まれる。いくつかの実施形態では、処理回路２１５およびコンピュータ可読記憶媒体２３０は一体化されると見なされ得る。
【００７０】
ＵＥ２００は入力インターフェース２２０を含む。入力インターフェース２２０は、（例えば、ユーザから）ＵＥ２００への情報の入力を可能にするように設定されたデバイスおよび回路を備え得る。入力インターフェース２２０は、処理回路２１５が入力情報を処理することを可能にするように処理回路２１５に接続される。例えば、入力インターフェース２２０は、マイクロフォン、近接センサもしくは他のセンサ、キー／ボタン、タッチディスプレイ、１つまたは複数のカメラ、ＵＳＢポート、または他の入力要素を含み得る。
【００７１】
出力インターフェース２２５は、ＵＥ２００からの（例えば、ユーザへの）情報の出力を可能にするように設定されたデバイスおよび回路を含み得る。出力インターフェース２２５は、処理回路２１５がＵＥ２００からの情報を出力することを可能にするように処理回路２１５に接続される。例えば、出力インターフェース２２５は、スピーカ、ディスプレイ、振動回路、ＵＳＢポート、ヘッドフォンインターフェース、または他の出力要素を含み得る。いくつかの実施形態では、同一の構成要素が、入力インターフェースと出力インターフェースのどちらとしても機能し得る。例えば、タッチスクリーンはイメージを出力し、ユーザタッチを入力として受け入れる。１つまたは複数の入力および出力インターフェース、デバイス、ならびに回路を使用して、ＵＥ２００は、エンドユーザおよび／またはワイヤレスネットワークと通信し、それらが本明細書で説明される機能から恩恵を受けることを可能にし得る。
【００７２】
ＵＥ２００は電源２３５を含む。電源２３５は電力管理回路を備え得る。電源２３５は、電力供給から電力を受け得、電力供給は、電源２３５内に含まれ、または電源２３５の外部にあり得る。例えば、ＵＥ２００は、電源２３５に接続され、または電源２３５内に一体化される電池またはバッテリパックの形態の電力供給を備え得る。光起電デバイスなどの他のタイプの電源も使用され得る。別の例として、ＵＥ２００は、電気ケーブルなどの入力回路またはインターフェースを介して外部電力供給（電気アウトレットなど）に接続可能であり得、それによって外部電力供給が電源２３５に電力を供給する。電源２３５は、無線フロントエンド回路２１０、処理回路２１５、入力インターフェース２２０、出力インターフェース２２５、および／またはコンピュータ可読記憶媒体２３０などの電力を必要とするＵＥ２００の構成要素に接続され得、処理回路２１５を含むＵＥ２００に、本明細書で説明される機能を実施するための電力を供給するように設定され得る。
【００７３】
ＵＥ２００の代替実施形態は、本明細書で説明される機能、および／または解決策をサポートするのに必要な機能、および／または本明細書で説明される利点のいずれかを含むＵＥの機能のいくつかの側面を提供する任を担い得る、図２に示されるもの以外の追加の構成要素を含み得る。ＵＥ２００はまた、処理回路２１５、コンピュータ可読記憶媒体２３０、無線回路２１０、および／または例えばＧＳＭ、ＷＣＤＭＡ、ＬＴＥ、ＮＲ、ＷｉＦｉ、Ｂｌｕｅｔｏｏｔｈワイヤレス技術などのワイヤレスデバイス２００内に一体化される異なるワイヤレス技術のためのアンテナ２０５の複数のセットをも含み得る。これらのワイヤレス技術は、ワイヤレスデバイス２００内の同一の、または異なるチップセットおよび他の構成要素内に一体化され得る。
【００７４】
図６は、特定の実施形態による、動的リンク選択のための方法を示す流れ図である。簡単にするために、方法は、ＷＤとネットワークノードの両方によって実施されるステップを含む。実際には、単一のデバイスは、デバイスのタイプに関連するそれらのステップを実施するだけであり得る。例えば、ＷＤは、データを送るために複数のリンクを選択し得るが、ネットワークノードは、受信されたデータが他の以前に受信されたデータと重複するかどうかを決定し得る。対応する説明は特定のデバイスを説明し、言及し得るが、論じられるデバイスが記載のステップを実施することが必要であるわけではない。例えば、ネットワークノードにデータを送るワイヤレスデバイスによってリンク選択が実施されている間、ワイヤレスデバイスに送られているデータについて同様の方法が使用され得る。同様に、別の例として、ネットワークノードは、中継ノードとして機能し、ワイヤレスデバイスによって実施されているものとして説明されるのと同様に、データを転送することに関して類似のリンク選択を実施し得る。さらに、図示される方法は、ＵＥが送信のために使用するワイヤレスリンクを選択することを含むが、選択決定は、ＷＤが送信する前にネットワークノードによっても行われ得、またはネットワークノードは、選択を行い、ワイヤレスデバイスにコマンドを送り得る。コマンドは、物理レイヤ、ＭＡＣレイヤ、ＰＤＣＰレイヤ、またはＲＲＣレイヤ上であり得る。
【００７５】
方法はステップ６００で開始し、ステップ６０５で、ＷＤが複数のワイヤレスリンクを確立する。これらのワイヤレスリンクは、１つまたは複数のネットワークノードによって供給され得る。ワイヤレスリンクの少なくとも１つが異なる無線アクセス技術（ＲＡＴ）に関連付けられ得る。ＲＡＴは異なり得るが、いくつかのシナリオでは、ネットワークノードは同一であり得る。例えば、ＭＳＲは、ＷＤがそれらとの間で２つの異なるワイヤレスリンクを確立した２つの異なるＲＡＴを提供し得る。ステップ６０５は確立されている複数のリンクを示すが、リンクが同時にアクティブであり得るものの、リンクが同時に確立される必要はない。いくつかの実施形態では、マスタネットワークノードとのワイヤレスリンクを確立する部分として、マスタネットワークノードは、ＷＤがリンクダイバーシティを使用することを許されるか否か、ＲＲＣダイバーシティのどんな方法を使用するか、および／またはリンクを選択するときにどんな基準を使用するかを設定し得る。
【００７６】
ステップ６１０で、ＷＤは、第１のネットワークノードに送られるデータを取得する。第１のネットワークノードは第１のＲＡＴに関連付けられ得、ＷＤとの間で確立されたワイヤレスリンクのうちの少なくとも１つを提供し得る。いくつかの実施形態では、送られるデータは、第１のＲＡＴに関連付けられる制御データであり得る。いくつかの実施形態では、データは無線リソース制御（ＲＲＣ）メッセージを含み得る。いくつかの実施形態では、データはユーザプレーンデータであり得る。いくつかの実施形態では、データは、第２のＲＡＴに関連付けられる制御データであり得る。
【００７７】
ステップ６１５で、ＷＤは、複数のワイヤレスリンクのそれぞれに関連付けられるリンク品質を評価する。リンク品質は、測定値、測定レポート、または遅延またはチャネル品質を示す任意の他のネットワークパラメータに基づいて評価され得る。例えば、リンク選択およびマッピングのためのパラメータとして使用され得るリンク品質は、参照信号受信電力（ＲＳＲＰ）、参照信号受信品質（ＲＳＲＱ）、または信号対干渉雑音比（ＳＩＮＲ）測定値に基づき得る。リンク品質はまた、アップリンクで使用される測定チャネル品質標識（ＣＱＩ）値や変調符号化方式（ＭＣＳ）などの他のパラメータに基づき得る。いくつかの実施形態では、リンク品質を評価するためにＭＣＳ履歴が使用され得る。別の実施形態では、メッセージの送達時の下位レイヤフィードバックに基づいてリンク品質が評価され得る。いくつかの実施形態では、それぞれのパラメータの履歴が使用され得る。例えば、測定値の平均値が使用され得る。
【００７８】
いくつかの実施形態では、ワイヤレスリンクの遅延またはレイテンシが考慮され得る。遅延は、ＰＤＣＰレベル遅延（例えば、パケットが平均でどれほどＰＤＣＰキュー内にいるか）に基づいて、または下位レイヤプロトコル遅延（例えば、ＲＬＣおよび／またはＭＡＣレイヤの遅延）を推定することによって推定され得る。ＲＬＣレイヤ遅延は、ＲＬＣバッファ内のキューイングを含み得るのに対して、ＭＡＣレイヤ遅延は、ハイブリッド自動再送要求（ＨＡＲＱ）遅延ならびにスケジューリング要求を送るための遅延を含み得る。いくつかの実施形態では、遅延は、ＨＡＲＱラウンドトリップタイム（ＲＴＴ）とＭＡＣ  ＰＤＵのためのＨＡＲＱ送信の数との積として計算され得るＨＡＲＱ遅延に対応し得る。一実施形態では、より低い遅延を有するリンクが、制御情報の送信のために選択される。
【００７９】
ステップ６２０で、ＷＤは、複数のワイヤレスリンクのそれぞれに関連付けられるバッファステータスを評価する。例えば、分割がＰＤＣＰレベルである場合、ＷＤは、下位レイヤバッファ内の利用可能なデータを推定し得る。いくつかの実施形態では、バッファステータスは、利用可能なワイヤレスリンクのそれぞれに関連付けられるバッファステータスレポートから評価され得る。
【００８０】
図示されていないが、いくつかの実施形態では、ＷＤは、送信されるデータに関連付けられるＲＲＣメッセージタイプを評価し得る。
【００８１】
ステップ６２５で、ＷＤは、データを送信するのに使用するために、複数のワイヤレスリンクのうちの１つまたは複数を選択する。選択されたワイヤレスリンクは、第２のＲＡＴに関連付けられる少なくとも第２のワイヤレスリンクを含み得る。図示される方法では、ステップ６１５および６２０で評価された２つの選択パラメータに基づいてリンクが選択され得る。他の実施形態は、より多くの、より少ない、または異なる選択パラメータを使用し得る。例えば、一実施形態は、信号強度、遅延、および／またはバッファステータスを組み合わせてリンク選択を行い得る（例えば、（推定／測定／レポートされる）信号強度がしきい値を超え、推定される送信遅延および／またはバッファが別のリンクよりも小さい場合、リンクが選択される）。遅延または信号強度の計算では、サンプルが取られる平均期間が存在し得る。平均期間またはサンプル数は、ネットワークノードによって設定され得る。いくつかの実施形態では、ワイヤレスリンクのうちの１つまたはすべてのリンク品質がしきい値未満である場合、ＷＤは複数のワイヤレスリンクを選択し得る。
【００８２】
実施形態に応じて、ワイヤレスリンクの選択は、ＰＤＣＰ  ＰＤＵごとに、または無線リンク制御（ＲＬＣ）ＰＤＵごとに行われ得る。他の実施形態は、異なる方式に基づいて選択を行い得る。いくつかの実施形態では、ＲＲＣまたはＰＤＣＰレイヤなどの異なるプロトコルレイヤ上で選択決定が行われ得る。いくつかの実施形態では、異なるプロトコルレイヤ上での決定の実行を可能にするためにクロスレイヤシグナリング／サービスが必要とされ得る（例えば、決定のために入力が必要とされ得る）。
【００８３】
ＷＤは、制御プレーンデータが（別のリンクと比較して）より良好な信号強度または品質を有するリンク上のみで送られるように１つまたは複数のリンクを選択し得る。いくつかの実施形態では、リンク選択は、制御プレーン情報が両方／すべての構成されたリンクにデフォルトでマッピングされるようなものであり得る。いくつかの実施形態では、そのリンク品質が他のワイヤレスリンクよりも良好なオフセット量である場合、制御プレーン情報が単一のリンク上のみで送信されるようにオフセット量が使用され得る。同様に、その品質がしきい値品質レベルより上であるとき、制御プレーンデータが単一のリンクを介して送られ、しきい値品質レベル未満である場合、複数のワイヤレスリンクを介して送られるようにしきい値品質レベルが使用され得る。いくつかの実施形態では、すべての利用可能なリンクの信号品質がしきい量未満である場合、複数のリンクが選択され得る。いくつかの実施形態では、その信号品質が最小しきい値未満である場合、制御データを送信する際に使用するための考慮からワイヤレスリンクが除去され得る。いくつかの実施形態では、無線リンク障害（ＲＬＦ）が予想される場合、障害が発生すると予想されるワイヤレスリンクが使用されないことがあり、または２次ワイヤレスリンクと共にのみ使用され得る。予想されるＲＬＦは、ＲＬＦを予測するための従来の基準（例えば、異なる値で設定されたタイマＴ３１０およびカウンタＮ３１０、Ｎ３１１）に基づいて決定される。
【００８４】
ステップ６３０で、方法は、データを送信するためにＷＤが複数のリンクを選択したか、それとも単一のリンクのみを選択したかに応じて分岐する。
【００８５】
ステップ６３５で、ＷＤは、下位レイヤリンクに送信されるデータを転送する（例えば、データを含むＰＤＣＰ  ＰＤＵが下位レイヤリンクに転送され得る）。いくつかの実施形態では、ＲＲＣダイバーシティが活動化されるとき、ＰＤＣＰ  ＰＤＵが、ＲＲＣ  ＰＤＵ／ＳＤＵまたはＰＤＣＰ  ＰＤＵごとに適用される動的リンク選択によって、１つの下位レイヤリンク（すなわち、ＲＬＣ／ＭＡＣエンティティ）または両方の下位レイヤリンクに転送される。
【００８６】
ステップ６４０で、ＷＤが複数のリンクを選択した場合、ＷＤは、複数のワイヤレスリンクを介してデータが送られ得るようにデータを複製する。分割がＰＤＣＰレイヤにある場合、データを複製することは、ＰＤＣＰ  ＰＤＵをコピーし、複数のワイヤレスリンクを介して送り出されるようにＰＤＣＰ  ＰＤＵを転送することによって行われ得る。この解決策では、同一のＰＤＣＰシーケンス番号が両方のリンクで使用される。分割がＲＲＣレベルである場合、ＲＲＣ  ＰＤＵ／ＳＤＵがコピーされ、複数のワイヤレスリンクを介して送られる。データが複製され得るが、送信のいくつかの側面は固有のものであり得る。例えば、ヘッダは、異なる送信の間で異なり得る。
【００８７】
ステップ６４５で、データが、選択されたワイヤレスリンクを介して第１のネットワークノードに送信される。ＷＤが複数のリンクを選択した場合、データが、異なるＲＡＴを使用して複数のリンクを介して送信される。ＷＤが単一のリンクだけを選択した場合、選択されたワイヤレスリンクを介してデータが送信される。選択されたワイヤレスリンクが少なくとも第２のワイヤレスリンクを含むので、第１のＲＡＴに関連付けられるデータが、第２のＲＡＴに関連付けられる第２のワイヤレスリンクを介して送信される。送信されているデータが制御データであるいくつかの実施形態では、第１のワイヤレスリンクのために必要な制御データが、第２のワイヤレスリンクを介して送信され得る。特定の例で言い換えれば、ＬＴＥ制御データがＷｉＭＡＸワイヤレスリンクを介して送信され得る。いくつかの実施形態では、送信されるデータは制御プレーンデータであり得る。制御データを送信することは、それぞれの下位レイヤリンクにＰＤＣＰ  ＰＤＵを転送することを含み得る。いくつかの実施形態では、データはユーザプレーンデータであり得る。
【００８８】
ステップ６５０で、方法は、ネットワークノードが別のネットワークノードにデータを転送する必要があるか否かに応じて分岐し得る。ネットワークノードによって受信されたデータが第２のネットワークノードに宛てられる場合、ステップ６７０で、ネットワークノードは、第２のネットワークノードにデータを送信する。
【００８９】
ステップ６５５で、方法は、ネットワークノードによって受信されたデータが重複データであるか否かに応じて分岐し得る。
【００９０】
ステップ６６０で、データを転送する必要がなく、データが重複データでない場合、ネットワークノードは、従来通りの方式でデータを処理し得る。
【００９１】
ステップ６６５で、データが重複する場合、ネットワークノードは重複データを廃棄し得る。本明細書では示されない他の実施形態では、受信誤りを低減するために重複データが組み合わされ得る。いくつかの実施形態では、ネットワークノードがデータを受信するとき、最初に、またはその後で、ネットワークノードは、受信されたデータのトランザクション識別子またはＰＤＣＰ  ＳＮをＷＤに送ることによってデータが受信されたことをＷＤに通知し得る。分割がＲＲＣレベルである場合、ネットワークノードは、ＲＲＣメッセージのトランザクション識別子に基づいて重複データを識別し、廃棄し得る。
【００９２】
いくつかの実施形態では、ダウンリンクメッセージについて、ネットワークノードまたはＷＤは、下位レイヤフィードバックに基づいてデータがＷＤによって正しく受信されたことを推論し得る。ネットワークノードのケースでは、ネットワークノードは、与えられたＰＤＣＰ  ＰＤＵまたはＲＲＣ  ＰＤＵ／ＳＤＵの制御プレーン情報を除去し得ることを他のネットワークノードに通知し得る。これは、Ｘ２＊インターフェースを介して既存のフロー制御情報と共に達成され得る（３６．４２３参照）。アップリンクでは、ＷＤがグラントを受信し、ＷＤが、グラントにマッピングされ、まだ送信されていない、バッファ内のデータを有さない場合、ＷＤは、あるリンク上で既に送信されたＰＤＣＰ  ＰＤＵのコピーを別のリンク上で送るように命令され得る。これは、埋込み送信を最小限に抑え得る。方法はステップ６７５で終了する。
【００９３】
前述のステップはいくつかの実施形態の例示に過ぎない。すべての実施形態が上記のすべてのステップを組み込むことも、ステップが図６に示される厳密な順序で実施されることも必要ではない。例えば、いくつかの実施形態では、ＷＤは、ＷＤがデータを取得するときと、データを送信するときとの間に遅延がある場合にそれを低減するために、データを取得する前にリンク品質を評価し得る。さらに、いくつかの実施形態は、上記で論じられたような、図６に示されていないステップを含み得る。
【００９４】
図６に示され、上記で説明されたステップは、例えば図１に示される構成要素および機器によって実行され得るコンピュータプログラム製品を通じて実施され得る。例えば、ストレージ１２３は、コンピュータプログラムがその上に記憶され得るコンピュータ可読媒体を含み得る。コンピュータプログラムは、プロセッサ１２２（および、インターフェース１２１やストレージ１２３などの、任意の動作可能に結合されたエンティティおよびデバイス）に本明細書に記載の実施形態による方法を実施させる命令を含み得る。したがって、コンピュータプログラムおよび／またはコンピュータプログラム製品は、本明細書で開示される任意のステップを実施するための手段を提供し得る。
【００９５】
図７は、特定の実施形態による、動的リンク選択で使用される機能モジュールを示すブロック図である。具体的には、特定のワイヤレスデバイス７００の機能モジュールが示されている。図示されるように、ＷＤ７００は、取得ユニット７１０、選択ユニット７２０、送信ユニット７３０、レプリケータユニット７４０を備える。他の実施形態は、より多くの、より少ない、または異なる機能単位を含み得る。さらに、単一の図示されるユニットが、複数の類似のユニットを表し得る。一般的な用語では、その中で示される各機能単位は、ハードウェアおよび／またはソフトウェアで実装され得る。好ましくは、１つまたは複数またはすべての機能単位が、プロセッサ１１２によって、恐らくはストレージ１１３と協働して実装され得る。したがって、プロセッサ１１２およびストレージ１１３は、プロセッサ１１２がストレージ１１３から命令をフェッチし、フェッチした命令を実行することを可能にするように構成され、それぞれの機能単位が本明細書で開示される任意のステップまたは機能を実施することが可能にされ得る。図示されるユニットは、他の図のいずれかに関して開示される任意の特徴または機能を提供することを含む、それぞれのユニットに関して明示的には説明されていない他の機能またはステップを実施するようにさらに設定され得る。
【００９６】
取得ユニット７１０は、ネットワークノードに送られるデータを取得するように設定される。いくつかの実施形態では、送られるデータは制御データまたは制御プレーンデータであり得る。制御データは第１のワイヤレスリンクに関係付けられ得る。第１のワイヤレスリンクは少なくとも２つの利用可能なワイヤレスリンクのうちの１つであり得る。利用可能なワイヤレスリンクは、少なくとも２つの異なるＲＡＴ（例えば、３Ｇおよび４Ｇ  ＲＡＴ）を使用するものであり得る。議論のために、第１のワイヤレスリンクが第１の無線アクセス技術に関連付けられると仮定され得る。いくつかの実施形態では、取得ユニット７１０によって取得されるデータは、１つまたは複数のＲＲＣメッセージであり得る。
【００９７】
選択ユニット７２０は、ネットワークノードに送られるデータの送信のために使用する１つまたは複数のワイヤレスリンクを選択するように設定される。１つまたは複数のワイヤレスリンクは、少なくとも２つの利用可能なワイヤレスリンクのグループから選択される。少なくとも２つの利用可能なワイヤレスリンクは、少なくとも２つの異なる無線アクセス技術に関連付けられる。いくつかの実施形態では、選択ユニット７２０は、利用可能なワイヤレスリンクのそれぞれに関連付けられるリンク品質を評価し得る。データを送信するのにどのワイヤレスリンクを使用するかを選択する際に、相対的リンク品質が使用され得る。いくつかの実施形態では、選択ユニット７２０は、利用可能なワイヤレスリンクのそれぞれに関連付けられるバッファステータスを評価し得る。データを送信するのにどのワイヤレスリンクを使用するかを選択する際に、それぞれの利用可能なワイヤレスリンクのバッファの相対的ステータスが使用され得る。
【００９８】
送信ユニット７３０は、選択された１つまたは複数のワイヤレスリンクを介してネットワークノードにデータを送信するように設定される。いくつかの実施形態では、送信ユニット７３０は、異なるＲＡＴに関連付けられる第２のワイヤレスリンクを介して、第１のＲＡＴに関連付けられる第１のワイヤレスリンクについての制御データを送信し得る。選択ユニット７２０が複数のワイヤレスリンクを選択する実施形態では、送信ユニット７３０は、複数の選択されたワイヤレスリンクを介してネットワークノードに複製されたデータを送信し得る。これは、少なくとも２つの選択されたワイヤレスリンクが異なる無線アクセス技術を介して同一のデータを搬送することを可能にし得る。データが複数のワイヤレスリンクを介して送信される場合、ワイヤレスリンクのうちの１つまたは複数が、データの所期の受信側以外のネットワークノードに対するものとなることがあり得る。次いでこのノードは、所期のネットワークノードにデータを転送し得る。いくつかの実施形態では、ＷＤは、選択ユニット７２０がワイヤレスリンクを選択し、送信ユニット７３０が選択されたワイヤレスリンクを介してＰＤＣＰ  ＰＤＵごとに、またはＲＬＣ  ＰＤＵごとにデータを送信するように設定され得る。いくつかの実施形態では、送信ユニット７３０は、それぞれの下位レイヤリンクにＰＤＣＰ  ＰＤＵを転送するように設定され得る。
【００９９】
レプリケータユニット７４０は、送信されるデータを複製するように設定される。選択ユニット７２０がデータを送信するのに使用するために２つ以上のワイヤレスリンクを選択するとき、データが複製され得る。いくつかの実施形態では、データを複製することは、データの同一の、またはほぼ同一のコピーを作成すること、次いでそれぞれのワイヤレスリンクについての別々のフォーマットおよびヘッダ情報を作成することを含み得る。
【０１００】
本発明の概念のいくつかの態様が、主にいくつかの実施形態を参照しながら上記で説明された。しかしながら、当業者は容易に理解するように、上記で開示されたもの以外の実施形態が等しく可能であり、添付の特許請求の範囲で定義される本発明の概念の範囲内にある。同様に、特徴および構成要素のいくつかの異なる組合せが論じられたが、すべての可能な組合せが開示されたわけではない。他の組合せが存在し、本発明の概念の範囲内にあることを当業者なら理解されよう。さらに、当業者は理解するように、本明細書で開示される実施形態は、他の規格および通信システムにも適用可能なものであり、他の特徴と共に開示される特定の図からの任意の特徴が、任意の他の図に適用可能であり、または異なる特徴と組み合わされ得る。
【図１】
2019528021.tif 000003
【図２】
2019528021.tif 000004
【図３】
2019528021.tif 000005
【図４】
2019528021.tif 000006
【図５】
2019528021.tif 000007
【図６】
2019528021.tif 000008
【図７】
2019528021.tif 000009
【国際調査報告】
2019528021.tif 000010
2019528021.tif 000011
2019528021.tif 000012
2019528021.tif 000013
2019528021.tif 000014